(57)【要約】【課題】  本来の治水機能を有するゲートに新しい水質浄化機能を付加することにより、流域住民の治水上の安全を確保しながら、長期間に亘り経済的で安定した浄化機能を発揮でき、従来水質浄化施設において維持管理費がかかりすぎ、使用されなくなった水質浄化施設に代わることのできる水質浄化ゲートを提供することにある。【解決手段】  水路を開閉する昇降式ゲートを構成する扉体１に、該扉体１の下部に上流水ａの導入口４１と、上流水ａを導入する水中ポンプ４２と、導入された上流水ａから懸濁物質を分離及び微生物を活性化する微細気泡を発生させる微細気泡発生装置５１が下部に設けられた分離処理水槽５と、分離処理水槽５で懸濁物質が分離された上流水ａを浄化する微生物を付着させた濾材６１を充填した浄化処理水槽６と、浄化処理水槽６で浄化された処理水を上流２に循環又は下流３に放出すべく上記扉体１の下部に形成された放水口６４と、を設けた。【選択図】        図１
2005224646.tif 000002
【特許請求の範囲】
【請求項１】
水路を開閉する昇降式ゲートを構成する扉体に、導入された上流水を浄化する微生物を付着させた濾材を充填した浄化処理水槽を設け、浄化処理水槽で浄化された処理水を上流に循環又は下流に放出することを特徴とする水質浄化ゲート。
【請求項２】
水路を開閉する昇降式ゲートを構成する扉体に、該扉体の下部に上流水の導入口と、上流水を導入する水中ポンプと、導入された上流水から懸濁物質を分離及び微生物を活性化する微細気泡を発生させる微細気泡発生装置が下部に設けられた分離処理水槽と、分離処理水槽で懸濁物質が分離された上流水を浄化する微生物を付着させた濾材を充填した浄化処理水槽と、浄化処理水槽で浄化された処理水を上流に循環又は下流に放出すべく上記扉体の下部に形成された放水口と、を設けたことを特徴とする水質浄化ゲート。
【請求項３】
浄化処理水槽は扉体の内部に設けられ、内部に設けられた浄化処理水槽は扉体の内部構造部材の一部を構成する請求項１又は請求項２記載の水質浄化ゲート。
【請求項４】
浄化処理水槽と放水口との間には、浄化処理水槽で浄化された処理水を殺菌する殺菌装置が設けられている請求項２記載の水質浄化ゲート。
【請求項５】
微細気泡発生装置の微細気泡により上流水から分離された懸濁物質や分離処理水槽内で発生した汚泥物質を扉体外部に排出する連結管が着脱自在に接続されている請求項２記載の水質浄化ゲート。
【請求項６】
浄化処理水槽は複数設けられ、複数の浄化処理水槽は直列状又は並列状に接続されている請求項２記載の水質浄化ゲート。
【請求項７】
扉体の上昇開口位置で、開口するゲートを自然流下する水質を監視・検出し、上流の水位が所定の設定水位以下の場合には有害物質検出時に扉体を下降させてゲート全閉する監視装置が設けられている請求項２記載の水質浄化ゲート。
【発明の詳細な説明】
【技術分野】
【０００１】
本発明は、例えば河川や排水路などの水路の水質を浄化する技術に係り、特に、本来の治水機能を有するゲートに新しい水質浄化機能を付加することにより、流域住民の治水上の安全を確保しながら、長期間に亘り経済的で安定した浄化機能を発揮できる施設に関するもので、従来水質浄化施設において維持管理費がかかりすぎ、使用されなくなった水質浄化施設に代わる水質浄化ゲートに関するものである。
【背景技術】
【０００２】
都市河川や排水路の周辺には浄化設備を設置するスペースとなる河川敷もなく、施設の建設費以上に土地の確保に多大の費用がかかるため、従来これらの施設は治水機能を損なわない程度の小規模施設を設置するのが殆どである。
河川及び排水路の浄化技術として、直接方式では接触ろ材接触酸化法の接触ろ材充填など、また、分離方式では凝集沈殿法や濾過法、活性汚泥法、オゾン酸化法、活性炭吸着法などがある。
【発明の開示】
【発明が解決しようとする課題】
【０００３】
しかしながら、直接方式では河川や排水路に浄化施設を設置するため、不可避的に堆積する汚泥の処理に問題がある。また、分離方式では河川や水路外に施設を設置する必要があり建設用地の確保に問題がある。
これまでのこれらの施設の利用状況をみると、維持管理が不十分で、浄化効果は決して満足行くものではないのが現状である。
【０００４】
本発明は、上記のような課題に鑑み、その課題を解決すべく創案されたものであって、その目的とするところは、本来の治水機能を有するゲートに新しい水質浄化機能を付加することにより、流域住民の治水上の安全を確保しながら、長期間に亘り経済的で安定した浄化機能を発揮でき、従来水質浄化施設において維持管理費がかかりすぎ、使用されなくなった水質浄化施設に代わることのできる水質浄化ゲートを提供することにある。
【課題を解決するための手段】
【０００５】
以上の目的を達成するために、請求項１の発明は、水路を開閉する昇降式ゲートを構成する扉体に、導入された上流水を浄化する微生物を付着させた濾材を充填した浄化処理水槽を設け、浄化処理水槽で浄化された処理水を上流に循環又は下流に放出する手段よりなるものである。
また、以上の目的を達成するために、請求項２の発明は、水路を開閉する昇降式ゲートを構成する扉体に、該扉体の下部に上流水の導入口と、上流水を導入する水中ポンプと、導入された上流水から懸濁物質を分離及び微生物を活性化する微細気泡を発生させる微細気泡発生装置が下部に設けられた分離処理水槽と、分離処理水槽で懸濁物質が分離された上流水を浄化する微生物を付着させた濾材を充填した浄化処理水槽と、浄化処理水槽で浄化された処理水を上流に循環又は下流に放出すべく上記扉体の下部に形成された放水口と、を設けた手段よりなるものである。
【０００６】
ここで、請求項１又は請求項２の好ましい態様として、浄化処理水槽は扉体の内部に設けられ、内部に設けられた浄化処理水槽は扉体の内部構造部材の一部を構成する。また、請求項２の好ましい態様として、浄化処理水槽と放水口との間には、浄化処理水槽で浄化された処理水を殺菌する殺菌装置が設けられている。微細気泡発生装置の微細気泡により上流水から分離された懸濁物質や分離処理水槽内で発生した汚泥物質を扉体外部に排出する連結管が着脱自在に接続されている。浄化処理水槽は複数設けられ、複数の浄化処理水槽は直列状又は並列状に接続されている。扉体の上昇開口位置で、開口するゲートを自然流下する水質を監視・検出し、上流の水位が所定の設定水位以下の場合には有害物質検出時に扉体を下降させてゲート全閉する監視装置が設けられている。
【発明の効果】
【０００７】
以上の記載により明らかなように、本発明に係る水質浄化ゲートによれば、次のような効果を奏することができる。
（１）環境問題の抜本的な対策は、発生源対策である。できる限り発生源に近いところで対策を講じることが浄化のための優れた効果と費用削減をもたらすものである。水質汚濁の主な原因は流域の雨水と生活排水であり、最初の放流先が排水路であり、都市河川である。そして、本発明のように、発生源に最も近いゲートに水質浄化機能を設けることで、湖沼や河川の浄化施設に勝る大きな浄化効果を得ることが期待できる。
（２）本発明は本来の治水機能を有するゲートに新しい水質浄化機能を付加することにより、流域住民の治水上の安全を確保しながら、長期間に亘り経済的で安定した浄化機能を発揮できるものであり、従来水質浄化施設において維持管理費がかかりすぎ、使用されなくなった水質浄化施設に代わるものとして期待できる。
（３）本発明では河床に浄化施設を設置しないため治水機能を阻害せず、洪水時やメンテナンス時にはゲートと共に引き上げることが出来るので安全である。
（４）本発明の浄化施設は建設用地を最小に出来るため、建設用地の少ない排水路や都市河川に利用できる。
（５）本発明はシステムが簡易で小型であるため建設費も軽減され、運転・維持管理も容易で、施設の運用経費も削減できる。
（６）施設の運転、休止の切り替えが容易に出来るため、浄化の条件が自由に選択でき、施設の維持管理も容易に出来る。
また、浄化処理水槽は扉体の内部に設けられ、内部に設けられた浄化処理水槽は扉体の内部構造部材の一部を構成する場合には、扉体の強度が高められるため、扉体の強度を高めるための部材の一部を省略できる。
浄化処理水槽と放水口との間に、浄化処理水槽で浄化された処理水を殺菌する殺菌装置が設けられている場合には、病原菌が上流又は下流に放流されるのを防ぐことができる。
微細気泡発生装置の微細気泡により上流水から分離された懸濁物質や分離処理水槽内で発生した汚泥物質を扉体外部に排出する連結管が着脱自在に接続されている場合には、懸濁物質や汚泥物質を容易に扉体外部に排出することができる。
微細気泡により活性化される微生物を付着させた濾材を充填した浄化処理水槽は複数設けられ、複数の浄化処理水槽は直列状又は並列状に接続されている場合には、直列状のときには汚染水の浄化率を高め、並列状のときには汚染水の浄化を速めることができる。
扉体の上昇開口位置で、開口するゲートを自然流下する水質を監視・検出し、上流の水位が所定の設定水位以下の場合に有害物質検出時に扉体を下降させてゲート全閉する監視装置が設けられている場合には、有害物質が下流に放流されるのを極力防ぐことができる。
【発明を実施するための最良の形態】
【０００８】
以下、図面に記載の発明を実施するための最良の形態に基づいて、この発明をより具体的に説明する。
【０００９】
図において、水質浄化ゲートは、該ゲートの扉体１に水質浄化機能を備えたもので、水路に設置された扉体１に対して上流２にある上流水ａを水質浄化ゲートの扉体１に備えた水質浄化機能部内に取水し、水質浄化機能の微細気泡ｂ及び濾材に付着した微生物を利用して水質浄化を行って、浄化した処理水を上流２に再び戻して循環或いは扉体１に対して下流３に浄化放流するものである。
【００１０】
水質浄化ゲートは、例えば河川や排水路などの水路に、該水路を開閉するために設置されており、該ゲートが新設の場合には扉体１の内部又は扉体１の内部と外部の一部に、該ゲートが既設の場合には外部に、水質浄化用の原水槽４、分離処理水槽５、浄化処理水槽６などが設けられている。水質浄化ゲートは昇降式になっていて、扉体１が上昇することによって水路を開け、下降することによって水路を閉じる。
【００１１】
扉体１は内部に空洞を有する箱形の外形を有していて、左右側端及び上端は鋼製の枠桁１１で構成され上流２及び下流３に面する側には鋼製のスキンプレート１２がそれぞれ取り付けられている。扉体１の左右両側端の枠桁１１には上下にガイドローラー１３が取り付けられ、扉体１の上端の枠桁１１の中央にはワイヤーやラック等の吊り材取付具１４が設けられている。また、枠桁１１とスキンプレート１２で囲まれる内部には、図２に図示する例にあっては複数の横桁１５が配置され、図３に図示する例にあっては複数の縦桁１６が配置されている。
【００１２】
一般に水圧に対する扉体１の強度は鋼構造物である桁で保持しているが、扉体１が新設の場合には内部の空洞部分に水質浄化用の上記原水槽４、分離処理水槽５、浄化処理水槽６、送水管６２等の鋼材を用いて配置し、同等の強度を有する鋼構造物になっている。
【００１３】
図２に図示する例にあっては、箱形の外形を有する扉体１はその内部に、原水槽４及び分離処理水槽５が縦型に配置され、これに平行な縦型に浄化処理水槽６が幅方向に複数例えば３個並設されている。又図３に図示する例にあっては原水槽４及び分離処理水槽５が扉体１の外部に突出して縦型に配置され、これに略直角な横方向に自然流下の効果を期待して自然流下させるため少し傾斜して浄化処理水槽６が横型に扉体１の内部の上下方向に複数例えば３個並設されている。
【００１４】
原水槽４及び分離処理水槽５は、扉体１の幅方向の何れかの片方側に縦方向に設けられている。原水槽４は扉体１の縦方向の下部側に設けられ、隔壁を挟んでその上側に分離処理水槽５が設けられている。
【００１５】
原水槽４は上流水ａを導入して分離処理水槽５に送り出す水槽で、扉体１の上流２に面する側の原水槽４の下端側には上流水ａを導入する導水ロ４１が設けられている。導水ロ４１には浮遊物などが流入するのを防ぐために図示しないスクリーンが取り付けられている。また、原水槽４の内部には導水ロ４１より導入した上流水ａを上方の分離処理水槽５に送り込むための水中ポンプ４２が設けられている。
【００１６】
水中ポンプ４２には原水槽４内の上流水ａを分離処理水槽５に送り込むための通路となる送水管４３の一端が接続されている。送水管４３の他端は隔壁を挟んでその上方に配置された分離処理水槽５の下部に連通している。
【００１７】
分離処理水槽５は微細気泡発生装置５１で発生させた微細気泡ｂによって上流水ａの中に含まれる懸濁物質ｃを分離させる水槽で、分離処理水槽５の下部には微細気泡ｂを発生する微細気泡発生装置５１が設けられている。上流水ａから分離して水面に浮遊する懸濁物質ｃを回収する懸濁物質回収室５２が分離処理水槽５の上部の側方に設けられている。分離処理水槽５の上部の水面位置の側面には懸濁物質回収室５２に懸濁物質ｃを送り出す懸濁物質送出路５３の一端が接続されている。分離処理水槽５に下部の側面には分離処理水槽５内で発生した汚泥物質を扉体１の外部に排出するための連結管５４が着脱自在に接続されている。
【００１８】
また、懸濁物質送出路５３より少し下側の分離処理水槽５の上部側面には懸濁物質ｃが分離除去され濾材６１に付着した微生物を活性化させるための微細気泡を充分に含んだ上流水ａを浄化処理水槽６に送り出す送水管６２の一端が接続されている。分離処理水槽５と浄化処理水槽６とを接続する送水管６２の途中に開閉バルブ６３が設けられている。
【００１９】
複数の各浄化処理水槽６は汚染された上流水ａを浄化する水槽で、複数の各浄化処理水槽６にはその内部に微生物が付着した濾材６１が充填されていて、送水管６２によって送り込まれた上流水ａを各浄化処理水槽６の内部の濾材６１に接触させて、濾材６１に付着した微生物によって汚染水を浄化する構造になっている。汚染水を浄化する微生物が付着した濾材６１は定期的に回収されて、より活性化された微生物が付着した新しい濾材６１と交換される。
【００２０】
複数の各浄化処理水槽６は縦型に配置されたり横型に配置されたりする。縦型に配置される場合には浄化処理水槽６は扉体１の左右幅方向に並設され、この場合には各浄化処理水槽６に直交するように前記の横桁１５が上下に配置される。横型に配置される場合には扉体１の上下方向に並設され、この場合には各浄化処理水槽６に直交するように前記の縦桁１６が扉体１の左右幅方向に配置される。
【００２１】
また、複数の浄化処理水槽６同士は複数の送水管６２によって接続されるが、図５に図示するように、複数の浄化処理水槽６は送水管６２によって並列状に接続されたり、或いは直列状に接続される。複数の浄化処理水槽６が並列状に接続される場合には汚染水の浄化時間が速くなる。複数の浄化処理水槽６が直列状に接続される場合には汚染水の浄化率が高まる。
【００２２】
複数の各浄化処理水槽６が並列状に接続される場合において、各浄化処理水槽６が縦型に配置されている場合には、例えば分離処理水槽５と複数の浄化処理水槽６とは上流側となる下部側で３つに分岐した送水管６２により接続され、複数の浄化処理水槽６の下流側となる上部側は３つに分岐した送水管６２により接続される。或いは分離処理水槽５と複数の浄化処理水槽６とは上流側となる上部側で３つに分岐した送水管６２により接続され、複数の浄化処理水槽６の下流側となる下部側は３つに分岐した送水管６２により接続される。下流側の送水管６２は後記の殺菌用送水管７１に接続される場合を除き、処理水を上流２又は下流３に放流できるように、上流２又は下流３に連通する放水口６４に接続している。放水口６４は扉体１の下部に形成されている。
【００２３】
複数の各浄化処理水槽６が並列状に接続される場合において、各浄化処理水槽６が横型に配置されている場合には、例えば分離処理水槽５と複数の浄化処理水槽６とは上流側となる左端側で３つに分岐した送水管６２により接続され、複数の浄化処理水槽６の下流側となる右端側は３つに分岐した送水管６２により接続される。下流側の送水管６２は後記の殺菌用送水管７１に接続される場合を除き、処理水を上流２又は下流３に放流できるように、上流２又は下流３に連通する放水口６４に接続している。放水口６４は扉体１の下部に形成されている。
【００２４】
複数の各浄化処理水槽６が直列状に接続される場合において、各浄化処理水槽６が縦型に配置されている場合には、例えば分離処理水槽５と上流側となる左側の浄化処理水槽６とは上部側で送水管６２により接続され、上流側となる左側の浄化処理水槽６の下部側と中流側となる中間側の浄化処理水槽６とは上部側或いは下部側で送水管６２により接続される。或いは分離処理水槽５と上流側となる左側の浄化処理水槽６とは下部側で送水管６２により接続され、上流側となる左側の浄化処理水槽６の上部側と中流側となる中間側の浄化処理水槽６とは上部側或いは下部側で送水管６２により接続される。
【００２５】
中流側となる中間側の浄化処理水槽６と下流側となる右側の浄化処理水槽６とは中間側の浄化処理水槽６の上部側が左側の浄化処理水槽６と送水管６２で接続されている場合においては、中間側の浄化処理水槽６の下部側と右側の浄化処理水槽６とは上部側或いは下部側で送水管６２により接続される。中間側の浄化処理水槽６の下部側が左側の浄化処理水槽６と送水管６２で接続されている場合においては、中間側の浄化処理水槽６の上部側と右側の浄化処理水槽６とは上部側或いは下部側で送水管６２により接続される。
【００２６】
下流側の送水管６２は後記の殺菌用送水管７１に接続される場合を除き、処理水を上流２又は下流３に放流できるように、上流２又は下流３に連通する放水口６４に接続している。放水口６４は扉体１の下部に形成されている。
【００２７】
複数の各浄化処理水槽６が直列状に接続される場合において、各浄化処理水槽６が横型に配置されている場合には、例えば分離処理水槽５と上流側となる最上段の浄化処理水槽６の左端側とで送水管６２により接続され、上流側となる最上段の浄化処理水槽６の右端側と中流側となる中間段の浄化処理水槽６の右端側とが送水管６２により接続され、中流側となる中間段の浄化処理水槽６の左端側と下流側となる最下段の浄化処理水槽６の左端側とが送水管６２により接続されている。このように、上下方向に隣設する浄化処理水槽６同士は交互に左端側と右端側で送水管６２により接続される。下流側の送水管６２は後記の殺菌用送水管７１に接続される場合を除き、処理水を上流２又は下流３に放流できるように、上流２又は下流３に連通する放水口６４に接続している。放水口６４は扉体１の下部に形成されている。
【００２８】
複数の各浄化処理水槽６が直列状に接続されている場合において、各浄化処理水槽６が縦型或いは横型のいずれに配置されていても、例えば中流側の浄化処理水槽６の溶存酸素濃度が低下し、濾材６１に付着した微生物が十分に活性化しない場合には、上流側と中流側を接続する送水管６２に図示しない微細気泡を発生させる微細気泡発生装置が設置される。或いは下流側の浄化処理水槽６の溶存酸素濃度が低下し、濾材６１に付着した微生物が十分に活性化しない場合には、中流側と下流側を接続する送水管６２に図示しない微細気泡を発生させる微細気泡発生装置が設置される。
【００２９】
病原菌が混入する場所では、濾材６１に接触後に殺菌装置で処理水を殺菌消毒する。このため、浄化処理水槽６の下流側に必要に応じて殺菌装置７が設けられる。殺菌装置７は扉体１に設けられていたり、扉体１の外部の水質浄化ゲートの監視室や機械室などに設けられ、下流側の浄化処理水槽６と殺菌装置７とは送水管６２及び殺菌用送水管７１により接続される。殺菌装置７には殺菌した処理水を上流２又は下流３に放流する放水管７２が接続されている。放水管７２の下流端は放水口６４に接続されている。殺菌装置７には例えばオゾンによる殺菌や紫外線による殺菌或いは高電圧パルスによる殺菌などがある。
【００３０】
また、水質浄化ゲートには、扉体の上昇開口位置で、開口するゲートを自然流下する水質を監視・検出し、上流の水位が所定の設定水位以下の場合には有害物質検出時に扉体を下降させてゲート全閉する水質監視装置８が必要に応じて設けられる。水質監視装置８は、自然流下する上流水ａの水質を監視・検査する水質センサー８１と制御装置８２から構成される。
【００３１】
制御装置８２はこの水質センサー８１から情報により、上流水ａに有害物質が混入されている場合には、水質浄化ゲートが開いて上昇位置に停止している場合扉体１を下降させてゲートを全閉し、有害物質が混入された上流水ａが下流３に流下するのを防ぐ機能を果たす。制御装置８２は有害物質を検出した場合でも、上流２の水位が所定の設定水位よりも高い場合は、放流を優先するように設定されていて、有害物質を検出してゲートを閉じている場合でも水位が所定の設定水位を超える場合には、扉体１を上昇させて上流水ａを下流３に放流する機構になっている。制御装置８２は必要に応じて警報を発したり、遠方へ通知する機能を有する。
【００３２】
次に、上記発明を実施するための最良の形態の構成に基づく作用について以下説明する。
上流水ａは、水質浄化ゲートの扉体１に設けた原水槽４内に設置した水中ポンプ４２により、導水ロ４１の前面の図示しないスクリーンを通過して原水槽４内に導入され、原水槽４を経由して分離処理水槽５に送り込まれる。
【００３３】
分離処理水槽５に送り込まれた上流水ａは、分離処理水槽５の下部に設けられた微細気泡発生装置５１から微細気泡ｂが発生することによって、分離処理水槽５内の上流水ａの溶存酸素が増加し懸濁物質ｃが分離し易い状態となって、水中の懸濁物質ｃは連行浮上し水面上に集積する。
【００３４】
分離処理水槽５の水面に浮上した微細気泡ｂと懸濁物質ｃは、分離処理水槽５の水面の側面に接続された懸濁物質送出路５３を流下して懸濁物質回収室５２内に流入して分離回収される。
【００３５】
懸濁物質ｃが分離された上流水ａは懸濁物質送出路５３の少し下側に接続された送水管６２を流下して浄化処理水槽６に送り込まれる。浄化処理水槽６に送り込まれた濾材６１に付着した微生物を活性化させるための微細気泡を充分に含んだ上流水ａは濾材６１に付着した微生物によって汚染を浄化される。汚染を浄化された処理水は下流側の送水管６２の下流端の放水口６４から上流２に戻されたり或いは下流３に浄化放流される。
【００３６】
この場合において、複数の浄化処理水槽６が分岐する送水管６２によって並列状に配置されているときには、上流水ａは分岐する送水管６２によって例えば三つに分かれて各浄化処理水槽６に流入して内部に充填されている濾材６１に付着した微生物によって汚染が浄化される。上流水ａは複数の浄化処理水槽６に分かれて浄化されるために、汚染の浄化時間が速くなる。
【００３７】
また、この場合において、複数の浄化処理水槽６が送水管６２によって直列状に配置されているときには、上流水ａは送水管６２によって例えば三つの浄化処理水槽６のすべてを通過して、各浄化処理水槽６の内部に充填されている濾材６１に付着した微生物によって汚染が浄化される。上流水ａは複数の全ての浄化処理水槽６によって浄化されるために、汚染の浄化率が高まる。
【００３８】
また、病原菌が混入する場所では、汚染浄化された処理水は下流側の送水管６２から殺菌用送水管７１を経て殺菌装置７に送られ、殺菌装置７で殺菌消毒された後、放水管７２の下流端の放水口６４を経て上流２に戻されたり或いは下流３に浄化放流される。
【００３９】
さらに、水質浄化ゲートに、水質監視装置８が設置されている場合にあっては、ゲートが開状態にある時、上流水ａに混入する有害物質を水質センサー８１で検出した場合は、その情報が制御装置８２に送られる。制御装置８２では水質センサー８１からの情報に基づいて、図示しない駆動モーターを駆動させて上昇位置に停止中の扉体１を下降させ、ゲートを全閉して下流３への放流を止め、水質浄化ゲートで水質浄化を行う。水質浄化中に上流２の水位が所定の設定水位より高くなった場合は、水質状態に関係なくゲートを開いて放流する。有害物質を検出した場合でも上流２の水位が所定の設定水位より高い場合は、放流する。制御装置８２は必要に応じて警報を発したり、遠方へ通知する機能を有する。
【００４０】
このように本発明は、平常時における河川水の浄化を目的にする。水質浄化の対象は、溶存酸素（ＤＯ）の改善、懸濁浮遊物質（ＳＳ）の改善、生物化学的酸素要求量（ＢＯＤ）の改善、化学的酸素要求量（ＣＯＤ）の改善、大腸菌等の病原菌の殺菌などである。
【００４１】
河川や排水路で浄化を行うため、建設用地が最小にできる。従って、建設費用が軽減できる。
【００４２】
治水機能を持つ水門に浄化機能を付加するため、浄化のために治水機能を低下させたり阻害する恐れがない。従って、洪水時には水質浄化ゲートは引き上げられて洪水の流下断面を確保する。
【００４３】
河床に浄化施設等を設置しないため、洪水時の流水の安全な流下と土砂掃流の阻害とならず、河川や排水路の治水機能が確保できる。また、浄化施設周辺で堆積汚泥が長期間滞留することはない。
【００４４】
なお、この発明は上記発明を実施するための最良の形態に限定されるものではなく、この発明の精神を逸脱しない範囲で種々の改変をなし得ることは勿論である。
【図面の簡単な説明】
【００４５】
【図１】（Ａ）はこの発明を実施するための最良の形態を示す水質浄化ゲートの構成図である。  （Ｂ）は図１（Ａ）の概略側面図である。
【図２】（Ａ）はこの発明を実施するための最良の形態を示す浄化処理水槽が縦型配置の扉体の正面図である。  （Ｂ）は図２（Ａ）の概略側面図である。
【図３】（Ａ）はこの発明を実施するための最良の形態を示す浄化処理水槽が横型配置の扉体の正面図である。  （Ｂ）は図３（Ａ）の概略側面図である。
【図４】この発明を実施するための最良の形態を示す水質浄化ゲートの作業図である。
【図５】（Ａ）〜（Ｊ）はこの発明を実施するための最良の形態を示す浄化処理水槽が縦型配置の場合の複数の浄化処理水槽同士の接続要領図である。  （Ｋ）〜（Ｌ）はこの発明を実施するための最良の形態を示す浄化処理水槽が横型配置の場合の複数の浄化処理水槽同士の接続要領図である。
【図６】この発明を実施するための最良の形態を示す外部に設けられたときの扉体の側面図である。
【図７】（Ａ）はこの発明を実施するための最良の形態を示す水質浄化ゲートに監視装置が設けられているときの水質浄化ゲートの部分正面図である。  （Ｂ）はこの発明を実施するための最良の形態を示す水質浄化ゲートに監視装置が設けられているときのフローチャート図である。
【符号の説明】
【００４６】
１    扉体
１１    枠桁
１２    スキンプレート
１３    ガイドローラー
１４    吊り材取付具
１５    横桁
１６    縦桁
２    上流
３    下流
４    原水槽
４１    導水ロ
４２    水中ポンプ
４３    送水管
５    分離処理水槽
５１    微細気泡発生装置
５２    懸濁物質回収室
５３    懸濁物質送出路
５４    連結管
６    浄化処理水槽
６１    濾材
６２    送水管
６３    開閉バルブ
６４    放水口
７    殺菌装置
７１    殺菌用送水管
７２    放水管
８    水質監視装置
８１    水質センサー
８２    制御装置
ａ    上流水
ｂ    微細気泡
ｃ    懸濁物質
【図１】
2005224646.tif 000003
【図２】
2005224646.tif 000004
【図３】
2005224646.tif 000005
【図４】
2005224646.tif 000006
【図５】
2005224646.tif 000007
【図６】
2005224646.tif 000008
【図７】
2005224646.tif 000009